(57)【要約】【課題】  保管時には鍼を鍼管内に確実に仮止めし、治療時に仮止めを容易に解除することができるようにする。【解決手段】  鍼本体の基端部に棒状鍼柄を固着してなる鍼を、上記鍼柄が挿脱自在の案内通孔を縦通してなる弾性及び保形性を有する材料からなる鍼管内に挿入し、  上記鍼管内に、上記案内通孔の外周に該案内通孔と連通する１又は複数本の仮止め通孔を設け、上記仮止め通孔は、鍼の鍼柄を横断方向に押すことにより出し入れ可能であり、又上記仮止め通孔内に入った鍼柄を圧接により保持することができるものである、鍼管つき鍼。【選択図】    図２
2010184021.tif 000002
【特許請求の範囲】
【請求項１】
鍼本体の基端部に棒状鍼柄を固着してなる鍼を、上記鍼柄が挿脱自在の案内通孔を縦通してなる弾性及び保形性を有する材料からなる鍼管内に挿入し、
上記鍼管内に、上記案内通孔の外周に該案内通孔と連通する１又は複数本の仮止め通孔を設け、上記仮止め通孔は、上記案内通孔内にある鍼の鍼柄を軽く押すことにより鍼柄が圧入可能であり、又上記仮止め通孔内に入った鍼柄を圧接により仮止め通孔内に保持し、さらに上記仮止め通孔内にある鍼柄を軽く横断方向に押すことにより上記案内通孔内に離脱可能である、
鍼管つき鍼。
【発明の詳細な説明】
【技術分野】
【０００１】
本発明は、鍼治療に使用される鍼管つき鍼に関する。
【背景技術】
【０００２】
一般に、鍼は、鍼本体の一端に棒状の鍼柄を固定してあり、この鍼の安全保管のため、該鍼の外側に筒状の鍼管を被嵌すると共に、鍼管から脱落しないように鍼柄の部分を鍼管に仮止めしておき、しかし治療の際は、上記鍼の仮止めを解除し、しかる後上記鍼管を案内管として鍼本体を人体の所定位置に刺すのである。
【０００３】
このように、保管時には鍼を確実に仮止めし、治療時に上記仮止めが容易に解除できるようにするため、従来は次のような仮止め提案がなされている。
【０００４】
即ち、特許文献１には、鍼柄の鍼本体がわ先端部を大径部に形成し、一方、鍼管に、上記鍼柄の大径部より大径の案内通孔を縦通すると共に、該案内通孔の後端部を、上記鍼柄の大径部より小径の仮止め部に形成し、この仮止め部に上記鍼柄の大径部を圧入して仮止めし、治療の際は、上記仮止めされた鍼柄を軸方向に押して上記仮止め部から大径の案内通孔内に離脱させて所要の治療を行うのである。
【０００５】
しかし、上記の仮止め構造では、鍼柄を軸方向に押し出す仮止め解除操作により、鍼先端が直ちに人体に刺しこまれる危険があり、その操作に熟練を要する難点があった。
【０００６】
また、特許文献２には、金属又は合成樹脂のいずれか一方の材質からなる鍼柄を有する鍼を、上記鍼柄と異なる他方の材質からなる鍼管内に挿入し、これを高周波誘導加熱等により鍼柄の表面と鍼管の内側面との接する部分の合成樹脂を溶融して両者を溶着（仮止め）し、治療の際は、鍼柄を押して上記溶着部分を分離（仮止め解除）するものである。
【０００７】
しかし、上記の溶着式仮止め構造では、確実な仮止めと、分離し易い仮止めの両方を満足させる溶着を行うには高度の熟練を必要とする欠点があり、通常は、保管時に鍼が外れ易いものや、治療時に分離し難いものが生じる難点があった。
【先行技術文献】
【特許文献】
【０００８】
【特許文献１】実公平３−９７３７
【特許文献２】国際公開ＷＯ２００６／０６７８３２
【発明の概要】
【発明が解決しようとする課題】
【０００９】
本発明は、保管時には鍼を鍼管内に確実に仮止めし、治療時に仮止めを容易に解除することのできる鍼管つき鍼を提供する。
【課題を解決するための手段】
【００１０】
上記課題解決の手段として、本発明は、
鍼本体の基端部に棒状鍼柄を固着してなる鍼を、上記鍼柄が挿脱自在の案内通孔を縦通してなる弾性及び保形性を有する材料からなる鍼管内に挿入し、
上記鍼管内に、上記案内通孔の外周に該案内通孔と連通する１又は複数本の仮止め通孔を設け、上記仮止め通孔は、上記案内通孔内にある鍼の鍼柄を軽く押すことにより鍼柄が圧入可能であり、又上記仮止め通孔内に入った鍼柄を圧接により仮止め通孔内に保持し、さらに上記仮止め通孔内にある鍼柄を軽く横断方向に押すことにより上記案内通孔内に離脱可能である、
鍼管つき鍼を提案する。
【発明の効果】
【００１１】
本発明の鍼管つき鍼によれば、保管時には、鍼管の弾性を利用して鍼柄を仮止め通孔内に確実に保持（仮止め）することができ、治療時には、仮止め通孔の弾性圧接に抗して軽く押すだけで鍼を案内通孔内に離脱させることができるのである。
【００１２】
しかも、特許文献１の仮止め構造と比較すると、本発明では、治療時に、仮止め通孔内に仮止めされている鍼柄を横断方向に押すことにより仮止めを解除するから、解除時に鍼先端が直ちに人体に刺しこまれる危険は全くなく、安全に仮止めを解除することができ、又特許文献２のものと比較すると、本発明は、溶着に高度の熟練を要する欠点を解消できるのである。
【図面の簡単な説明】
【００１３】
【図１】本発明による鍼管つき鍼の縦断側面図である。
【図２】図１のＩＩ−ＩＩ線拡大断面図である。
【図３】他の実施例の拡大横断面図である。
【図４】さらに他の実施例の同上断面図である。
【図５】別の実施例の同上断面図である。
【発明を実施するための形態】
【００１４】
本発明における「鍼柄」は、金属又は合成樹脂製で、横断面円形、多角形等のものが使用される。
又、「鍼管」は、ポリプロピレン、ポリエチレン、ポリアミド等の合成樹脂、合成ゴム、ゴム等の弾性を有し且つ与えられた形状を保持しうる性質（保形性）を有する材料でつくられ、その「案内通孔」は、横断面円形、長円形、三角形等であり、「仮止め通孔」は、横断面円形、矩形、長円形等種々の形状のものがある。
さらに、上記仮止め通孔内に入った鍼柄を「圧接により保持する」構造は、仮止め通孔の孔幅を小さくして孔内面による圧接、連通口を狭さくした狭さく連通口による圧接、仮止め通孔内面又は連通口に設けたフィン、凸部等の弾性突起による圧接等が含まれる。
【実施例１】
【００１５】
図１、２の実施例は、鍼本体（２）の一端に、金属製で横断面円形の棒状鍼柄（３）を固着してなる鍼（１）を、円筒状の弾性合成樹脂製鍼管（４）内に挿入してある。
【００１６】
上記鍼管（４）の軸心部には、上記鍼柄（３）の外径より内径が大きく、該鍼柄（３）が挿脱自在になりうる円形案内通孔（５）を縦通し、その案内通孔（５）の外周に沿って、本例では上記鍼柄（３）の外径よりも内径が僅か小さい３個の円形仮止め通孔（６）…を、上記案内通孔（５）と一部重ね合わせた連通状態で、互に等間隔（１２０度間隔）をあけて縦通してある。
【００１７】
本例では、上記仮止め通孔（６）‥の横断面形状（円形）における三日月部分を上記案内通孔（５）と重ね合わせ、それにより仮止め通孔（６）‥と案内通孔（５）との間の連通口（７）を、上記仮止め通孔（６）‥の直径よりも狭い口幅（ｄ）をもつ狭さく連通口としてある。
【００１８】
使用において、鍼（１）を鍼管（４）の案内通孔（５）内に挿入し、その鍼柄（３）の後端部を図１のように案内通孔（５）から後方へ突出させる。その状態で、鍼柄（３）の突出後端をつまんで任意の仮止め通孔（６）がわへ押すと、鍼柄（３）が狭さく連通口（７）を弾性変形により押し拡げて通過し、ついで仮止め通孔（６）内をも軽く拡開して入り込み、そこで仮止め通孔（６）内壁面及び連通口（７）の弾性復元力により鍼柄（３）をしっかりと圧接し、鍼（１）全体を安全に保持する。
【００１９】
治療の場合は、鍼柄（３）の突出後端部を、仮止め通孔（６）の内壁面及び連通口（７）の圧接に抗して横断方向に押せば、鍼柄（３）が仮止め通孔（６）から広い案内通孔（５）内に脱出し、治療可能となる。その際、従来のように鍼先が直ちに人体に刺しこまれる危険はない。
【実施例２】
【００２０】
図３に示す他の実施例は、円形の案内通孔（５ａ）の直径方向延長上に、横断面円形の鍼柄（３ａ）の外径より僅か幅の狭い横断面ほぼ矩形の仮止め通孔（６ａ）、（６ａ）を、上記仮止め通孔（６ａ）と同幅（ｄａ）の連通口（７ａ）、（７ａ）を介して連設縦通した例である。
【００２１】
本例では、仮止め通孔（６ａ）内に押しこまれた鍼柄（３ａ）は、仮止め通孔（６ａ）の相対する内壁面により圧接保持される。
【実施例３】
【００２２】
図４のさらに他の実施例は、横断面ほぼ正三角形の鍼管（４ｂ）に横断面ほぼ正三角形の案内通孔（５ｂ）を縦通し、該案内通孔（５ｂ）の三角形３辺の位置に、円形鍼柄（３ｂ）の外径より内径が僅か小さい仮止め通孔（６ｂ）‥を狭さく連通口（７ｂ）‥を介して連設してある。
【００２３】
本例では、狭さく連通口（７ｂ）‥の両端に、比較的高く突出する弾性突起（８ｂ）、（８ｂ）が形成され、該弾性突起（８ｂ）、（８ｂ）が、鍼柄（３ｂ）の仮止め通孔（６ｂ）への出入りを円滑にすると共に、仮止め通孔（６ｂ）内に入った鍼柄（３ｂ）を保持する働きも行う。
【実施例４】
【００２４】
図５に示す別の実施例は、上記図３の実施例と同様、円形案内通孔（５ｃ）の直径方向延長上に、鍼柄（３ｃ）の外径より僅か小さい幅の横断面ほぼ矩形の仮止め通孔（６ｃ）、（６ｃ）を、仮止め通孔と同幅（ｄｃ）の連通口（７ｃ）、（７ｃ）を介して連設した構成において、上記仮止め通孔（６ｃ）、（６ｃ）における相対する内側面に、多数の小さいフィン形弾性突起（９ｃ）…、（９ｃ）…を突設した例である。
【００２５】
本例によれば、鍼柄（３ｃ）を仮止め通孔（６ｃ）内に滑らかに出し入れでき、又一旦仮止め通孔（６ｃ）内に押し入れたときは、多数の弾性突起（９ｃ）…、（９ｃ）…により鍼柄（３ｃ）を確実に保持される。
【符号の説明】
【００２６】
１  鍼
２  鍼本体
３、３ａ、３ｂ、３ｃ  鍼柄
４、４ａ、４ｂ、４ｃ  鍼管
５、５ａ、５ｂ、５ｃ  案内通孔
６、６ａ、６ｂ、６ｃ  仮止め通孔
７、７ａ、７ｂ、７ｃ  連通口
【図１】
2010184021.tif 000003
【図２】
2010184021.tif 000004
【図３】
2010184021.tif 000005
【図４】
2010184021.tif 000006
【図５】
2010184021.tif 000007